Podtech/llm-jp-corpus-v4-ja_patent huggingface dataset:
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ＣＩＳ阻害物質を含む医薬組成物であって、ＮＫ細胞応答性病態を治療又は予防するための医薬組成物。
【請求項２】
ＣＩＳが阻害されたＮＫ細胞を含む医薬組成物であって、ＮＫ細胞応答性病態を治療又は予防するための医薬組成物。
【請求項３】
前記ＣＩＳが阻害されたＮＫ細胞が、ＣＩＳ阻害物質と接触させたＮＫ細胞である、請求項２に記載の医薬組成物。
【請求項４】
前記ＣＩＳ阻害物質が、ＪＡＫ１及び／またはＪＡＫ３へＣＩＳの結合を競合的に阻害する、請求項１又は３に記載の医薬組成物。
【請求項５】
ＪＡＫ１がリン酸化されたＪＡＫ１である、及び／またはＪＡＫ３がリン酸化されたＪＡＫ３である、請求項４に記載の医薬組成物。
【請求項６】
前記治療及び予防が、ＩＬ−１５、ＩＬ−１５アゴニスト、Ｂ−Ｒａｆプロテインキナーゼ阻害物質、ＭＥＫプロテインキナーゼ阻害物質及び免疫療法剤の一種又は二種以上を使用することをさらに含む、請求項１〜５のいずれか一項に記載の医薬組成物。
【請求項７】
前記治療及び予防が、免疫療法剤を使用することをさらに含む、請求項１〜６のいずれか一項に記載の医薬組成物。
【請求項８】
前記ＮＫ細胞応答性病態ががんまたは感染である、請求項１〜７のいずれか一項に記載の医薬組成物。
【請求項９】
ｉ）試験剤の存在下において、少なくとも１つのＣＩＳ結合パートナーとＣＩＳまたはその断片を接触させることと；
ｉｉ）前記試験剤が、ＣＩＳまたはその断片への結合について前記ＣＩＳ結合パートナーと競合するかどうかを決定することと；
ｉｉｉ）ステップｉｉ）において、ＣＩＳまたはその断片への結合について前記ＣＩＳ結合パートナーと競合することが示されるならば、前記試験剤をＣＩＳ阻害物質として同定することと、
を含む、ＣＩＳ阻害物質を同定するための方法。
【請求項１０】
ｉ）ＣＩＳまたはその断片を試験剤と接触させることと；
ｉｉ）前記試験剤が、ＣＩＳまたはその断片へ結合するかどうかを決定することと、を含む、ＣＩＳ阻害物質を同定するための方法。
【請求項１１】
前記試験剤が、ＣＩＳまたはその断片への結合についてＣＩＳ  ＰＥＳＴドメインペプチドまたはＣＩＳ  Ｎ末端ペプチドと競合するかどうかを決定することを、さらに含む、請求項１０に記載の方法。
【請求項１２】
ｉ）リン酸化ＪＡＫ１タンパク質またはそのＣＩＳ結合断片を、
（ａ）少なくともＳＨ２ドメイン及びＳＯＣＳボックスを含むＣＩＳまたはその断片；エロンギンＢ；ならびにエロンギンＣを含む、三量体複合体と；
（ｂ）ユビキチン化混合物と；
（ｃ）試験剤と
の存在下において、インビトロでインキュベーションすることと；
ｉｉ）前記試験剤が、前記試験剤の非存在下におけるＣＩＳ誘導性ユビキチン化のレベルに比べて、前記リン酸化ＪＡＫ１タンパク質または断片のＣＩＳ誘導性ユビキチン化を阻害するかどうかを決定することと、
を含む、ＣＩＳ阻害物質を同定するための方法。
【請求項１３】
ｉ）ＪＨ１キナーゼドメインを含むＪＡＫ１タンパク質またはその断片を、
（ａ）少なくともＳＨ２ドメイン及びＳＯＣＳボックスを含むＣＩＳまたはその断片；エロンギンＢ、ならびにエロンギンＣを含む、三量体複合体と；
（ｂ）ＪＡＫ１キナーゼ基質と；
（ｃ）試験剤と
の存在下において、インビトロでインキュベーションすることと；
ｉｉ）前記試験剤が、前記試験剤の非存在下における前記ＪＡＫ１キナーゼ基質のリン酸化に比べて、前記ＪＡＫ１キナーゼ基質のリン酸化を増加させるかどうかを決定することと、
を含む、ＣＩＳ阻害物質を同定するための方法。
【請求項１４】
ｉ）ＣＩＳまたはその断片の三次元構造モデルを生成することと；
ｉｉ）前記モデル化された構造へ結合する試験剤についてインシリコでデザインまたはスクリーニングすることと、
を含む、ＣＩＳ阻害物質をインシリコで同定するための方法。
【請求項１５】
ｉ）ＣＩＳを発現する細胞を提供することと；
ｉｉ）試験剤が、前記試験剤と接触させない細胞に比較した場合に、前記細胞におけるＣＩＳ活性を低減するかどうかを決定することと、
を含む、ＣＩＳ阻害物質を同定するための方法。
【請求項１６】
前記細胞がＮＫ細胞である、請求項１５に記載の方法。
【請求項１７】
腫瘍を患う患者において、ＣＩＳ阻害による治療への応答性の尤度を決定するための方法であって、腫瘍微小環境中のＩＬ−１５を１レベル決定することを含み、そこで、ＩＬ−１５の閾値レベルに比べた前記腫瘍微小環境中のＩＬ−１５のレベルの上昇が、前記治療への応答性の尤度がより高いことを指摘する、前記方法。
【請求項１８】
腫瘍を患う被験体において、腫瘍浸潤ＮＫ細胞におけるＣｉｓｈ発現の上昇の誘導を査定するための方法であって、腫瘍微小環境中のＩＬ−１５を１レベル決定することを含み、そこで、ＩＬ−１５の閾値レベルに比べた前記腫瘍微小環境中のＩＬ−１５のレベルの上昇が、前記腫瘍浸潤ＮＫ細胞におけるＣｉｓｈ発現の上昇の誘導を指摘する、前記方法。
【請求項１９】
ＮＫ細胞のＩＬ−１５への応答性を増加させる方法であって、前記ＮＫ細胞におけるＣＩＳを阻害することを含む、前記方法。
【請求項２０】
前記方法が前記ＮＫ細胞におけるＣＩＳの発現を低減することを含む、請求項１９に記載の方法。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
パートＡ及びパートＢを含む歯科用パーツキットであって、
パートＡは、
アスコルビン酸部分を含む１つ又は複数の構成成分、
１つ又は複数のサルファイト、１つ又は複数のホスファイト、又はそれらの混合物から選択される安定剤、
任意選択の、酸性部分を有しない１つ又は複数の重合性構成成分、
任意選択の、酸性部分を有する１つ又は複数の重合性構成成分、
任意選択の１つ又は複数のフィラー、
任意選択の１つ又は複数の添加剤を含み、
パートＢは、
酸性部分を有しない１つ又は複数の重合性構成成分、
酸性部分を有する１つ又は複数の重合性構成成分、
１つ又は複数の遷移金属構成成分、
１つ又は複数の有機ペルオキシド、
任意選択の１つ又は複数のフィラー、
任意選択の１つ又は複数の添加剤を含む、
パーツキット。
【請求項２】
パートＡは、
アスコルビン酸部分を含む１つ又は複数の構成成分、
１つ又は複数のサルファイト、１つ又は複数のホスファイト、又はそれらの混合物から選択される安定剤、
酸性部分を有しない１つ又は複数の重合性構成成分、
１つ又は複数のフィラー、
任意選択の、酸性部分を有する１つ又は複数の重合性構成成分、
任意選択の１つ又は複数の添加剤を含み、
パートＢは、
酸性部分を有しない１つ又は複数の重合性構成成分、
酸性部分を有する１つ又は複数の重合性構成成分、
１つ又は複数の遷移金属構成成分、
１つ又は複数のヒドロペルオキシド及び１つ又は複数のジペルオキシドから選択される１つ又は複数の有機ペルオキシド、
１つ又は複数のフィラー、
任意選択の１つ又は複数の添加剤を含み、
前記パーツキットは、ペースト／ペースト系として提供される、
請求項１に記載のパーツキット。
【請求項３】
前記パーツキットのパートＡにおける、前記アスコルビン酸部分を含む１つ又は複数の構成成分の、前記１つ又は複数の安定剤に対する比は、ｍｏｌに関して、１：５〜５：１の範囲である、請求項１又は２に記載のパーツキット。
【請求項４】
パートＡの組成物は、湿ったｐＨ感応紙と接触させた場合に、６〜８のｐＨ値を有し、
パートＢの組成物は、湿ったｐＨ感応紙と接触させた場合に、４未満のｐＨ値を有する、
請求項１〜３のいずれか一項に記載のパーツキット。
【請求項５】
前記１つ又は複数の有機ペルオキシドは、構造部分Ｒ−Ｏ−Ｏ−Ｈ（式中、Ｒは、アルキル、分枝状アルキル、シクロアルキル、アルキルアリール、又はアリール部分である）を含むヒドロペルオキシドである、請求項１〜４のいずれか一項に記載のパーツキット。
【請求項６】
前記１つ又は複数の有機ペルオキシドは、部分Ｒ１−Ｏ−Ｏ−Ｒ２−Ｏ−Ｏ−Ｒ３（式中、Ｒ１及びＲ３は、独立して、Ｈ、アルキル、分枝状アルキル、シクロアルキル、アルキルアリール、又はアリールから選択され、Ｒ２は、アルキル又は分枝状アルキルから選択される）を含むジペルオキシドである、請求項１〜５のいずれか一項に記載のパーツキット。
【請求項７】
前記遷移金属構成成分は、遷移金属として、水和物又は乾燥物の形態であるＴｉ、Ｖ、Ｃｒ、Ｍｎ、Ｃｏ、Ｎｉ、Ｃｕ、Ｆｅ、Ｚｎ、及びそれらの混合物を含み、前記１つ又は複数の遷移金属構成成分は、好ましくは、水和物又は乾燥物の形態である酢酸銅、塩化銅、安息香酸銅、銅アセチルアセトネート、ナフテン酸銅、カルボン酸銅、銅ビス（１−フェニルペンタン−１，３−ジオン）、銅錯体、及びそれらの混合物から選択される、請求項１〜６のいずれか一項に記載のパーツキット。
【請求項８】
前記安定剤は、有機サルファイト若しくは有機ホスファイト、又はそれらの混合物である、請求項１〜７のいずれか一項に記載のパーツキット。
【請求項９】
パートＡ又はパートＢは、光開始剤を追加的に含み、前記光開始剤は、好ましくは、増感剤と、前記アスコルビン酸部分を含む構成成分とは異なる、更なる還元剤とを含む、請求項１〜８のいずれか一項に記載のパーツキット。
【請求項１０】
請求項１〜９のいずれか一項に記載のパーツキットのパートＡの組成物及びパートＢの組成物を混合し、得られた混合物を硬化させることによって得ることができる、歯科用又は歯科矯正用組成物であって、自己エッチング性、自己接着性、かつ自己硬化性の組成物である、歯科用組成物。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
高血圧を治療又は予防するための組成物であって、３’−Ｏ−グルクロニドエピカテキンを含み、それを必要とする個体又はその危険性の有る個体に用いるための組成物。
【請求項２】
心臓血管疾患を治療又は予防するための組成物であって、３’−Ｏ−グルクロニドエピカテキンを含み、それを必要とする個体又はその危険性の有る個体に用いるための組成物。
【請求項３】
体重維持もしくは体重減少のための、又は、肥満もしくは過体重を治療もしくは予防するための組成物であって、３’−Ｏ−グルクロニドエピカテキンを含み、それを必要とする個体又はその危険性の有る個体に用いるための組成物。
【請求項４】
認知能力、認知、気分、又は記憶のうちの１つ以上を改善するための組成物であって、治療的に有効な量の３’−Ｏ−グルクロニドエピカテキンを含み、それを必要とする個体に用いるための組成物。
【請求項５】
前記組成物が、前記３’−Ｏ−グルクロニドエピカテキンが食品製品中に少なくとも０．０１ｍｇ／ｇの濃度で存在する前記食品製品として、前記個体に経口投与される、請求項１〜４のいずれか一項に記載の組成物。
【請求項６】
前記組成物が、前記個体に注入される、請求項１〜４のいずれか一項に記載の組成物。
【請求項７】
前記組成物が、少なくとも１週間にわたって、少なくとも１日１回、前記個体に投与される、請求項１〜４のいずれか一項に記載の組成物。
【請求項８】
前記３’−Ｏ−グルクロニドエピカテキンが、化学的に合成される、請求項１〜４のいずれか一項に記載の組成物。
【請求項９】
前記組成物が、エネルギー消費、交感神経系活性、及び脂肪酸化からなる群から選択される少なくとも１つの特性を増加させる量の前記３’−Ｏ−グルクロニドエピカテキンを提供するために投与される、請求項３に記載の組成物。
【請求項１０】
前記個体が、低脂肪食、低炭水化物食、低カロリー食、超低カロリー食、耐久トレーニング、筋力トレーニング、及びこれらの組み合わせからなる群から選択される体重減少プログラムに参加している、請求項３に記載の組成物。
【請求項１１】
インスリン抵抗性、耐糖能、及びこれらの組み合わせからなる群から選択される特性を改善するための組成物であって、３’−Ｏ−グルクロニドエピカテキンを含み、それを必要としている個体に用いるための組成物。
【請求項１２】
前記個体が、早産児、子宮内胎児発育遅延を経験した幼児、妊娠性糖尿病に罹患している妊婦、インスリン抵抗性に罹患しているヒト、耐糖能障害に罹患しているヒト、及びＩＩ型糖尿病に罹患しているヒトからなる群から選択される、請求項１１に記載の組成物。
【請求項１３】
前記組成物が、前記３’−Ｏ−グルクロニドエピカテキンが食品製品中に少なくとも０．０１ｍｇ／ｇの濃度で存在する前記食品製品として投与される、請求項１１に記載の組成物。
【請求項１４】
前記組成物が、前記個体に注入される、請求項１１に記載の組成物。
【請求項１５】
前記組成物が、少なくとも１週間にわたって、少なくとも１日１回、前記個体に投与される、請求項１１に記載の組成物。
【請求項１６】
前記３’−Ｏ−グルクロニドエピカテキンが、化学的に合成される、請求項１１に記載の組成物。
【請求項１７】
前記個体が、認知機能低下、軽度認知障害、認知症、気分障害、記憶喪失、及びこれらの組み合わせからなる群から選択される状態を有する、請求項４に記載の組成物。
【請求項１８】
前記個体が、認知老化を有する高齢者である、請求項４に記載の組成物。
【請求項１９】
嚥下障害を治療又は予防するための組成物であって、３’−Ｏ−グルクロニドエピカテキンを含み、それを必要とする個体又はその危険性の有る個体に用いることを含み、
前記組成物は、嚥下反射を引き起こす量の３’−Ｏ−グルクロニドエピカテキンを提供するために投与されるものである、組成物。
む、組成物。
【請求項２０】
前記組成物が、増粘飲料である、請求項１９に記載の組成物。
【請求項２１】
前記組成物が、前記３’−Ｏ−グルクロニドエピカテキンが食品製品中に少なくとも０．０１ｍｇ／ｇの濃度で存在する前記食品製品として投与される、請求項１９に記載の組成物。
【請求項２２】
子癇前症及び／又はＩＵＧＲを治療又は予防するための組成物であって、３’−Ｏ−グルクロニドエピカテキンを含み、それを必要とする個体又はその危険性の有る個体に用いるための組成物。
【請求項２３】
前記組成物が、前記３’−Ｏ−グルクロニドエピカテキンが前記組成物中に少なくとも０．０１ｍｇ／ｇの濃度で存在する母性サプリメントとして、前記個体に経口投与される、請求項１に記載の組成物。
【請求項２４】
妊娠しようとしている前記個体のその妊娠前に、及び／又は、前記個体の妊娠中に、前記個体に前記組成物を投与する、請求項１又は請求項２２に記載の組成物。
【請求項２５】
前記組成物が、３’−Ｏ−グルクロニドエピカテキンを富化した抽出物の形態である、請求項１〜２４のいずれか一項に記載の組成物。
【請求項２６】
前記組成物が、メディカルフード、栄養組成物、医薬品、食品組成物、又はペットフード組成物である、請求項１〜２５のいずれか一項に記載の組成物。
【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
複合系オブジェクトの付加製造によって製造される３次元（３Ｄ）オブジェクトの横断面に対応する基板層上の領域の自動形成のための装置であって、
複数の基板シートを保持することができる材料フィーダと、
前記複数の基板シートから少なくとも一つの基板シート上に流体を堆積させるためのプリンタと、
粉末アプリケータおよび粉末リムーバを有する粉末システムであって、前記粉末アプリケータが、前記少なくとも一つの基板シート上に粉末を堆積させる、粉末システムと、
前記少なくとも一つの基板シートを、前記材料フィーダから前記プリンタに、および前記プリンタから前記粉末システムに移送するための移送システムと、を備え、
これにより前記粉末は、前記プリンタが流体を堆積した上の前記少なくとも一つの基板シートの前記領域に付着し、前記粉末リムーバが前記少なくとも一つの基板シートに付着しなかった粉末を除去する、装置。
【請求項２】
前記材料フィーダ、プリンタ、および移送システムに結合されたコントローラが、３次元（３Ｄ）部品を製造するために必要に応じて、前記複数の前記基板シートのうちの前記少なくとも一つの基板シートについて、前記材料フィーダ、移送システム、プリンタ、および粉末システムを介して前記複数の基板シートから前記少なくとも一つの基板シートを循環させるように構成される、請求項１に記載の装置。
【請求項３】
前記少なくとも一つの基板シート上の粉末を加熱するフューザをさらに含み、
これにより前記少なくとも一つの基板シートと複合材料を形成する性質を有する粉末は、溶融して、前記プリンタが流体を堆積した上の前記領域で前記基板シートに付着する、請求項１に記載の装置。
【請求項４】
前記プリンタは所望の位置で少なくとも一つの基板シートに穴を配置するための穿孔機構を含む、請求項１に記載の装置。
【請求項５】
前記穴は、位置合わせのために使用され、前記複数の基板シートについて前記印刷領域と同じ関係にある、請求項４に記載の装置。
【請求項６】
前記複数の前記基板シートは、多孔質不織布炭素繊維または他の不織布材料である、請求項１に記載の装置。
【請求項７】
前記粉末リムーバがバキュームである、請求項１に記載の装置。
【請求項８】
前記粉末リムーバが、空気送風機、振動装置、および機械装置からなる群から選択される、請求項１に記載の装置。
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
外面、内面、および該内面と該外面との間に延在するノズルを有するノズル層であって、該ノズルが、液体を受け入れるための入口を該内面に有し、ならびに液体の吐出のための出口開口部を該外面に有する、ノズル層と、
該ノズル層の該内面が固定される本体であって、圧送チャンバ、戻りチャネル、および該圧送チャンバを該ノズルの該入口に流体接続する第一通路を含む、本体と、
該ノズルの該入口を該戻りチャネルに流体接続する第二通路と、
該圧送チャンバから液体を流し出すように構成されたアクチュエータであって、その作動によって液体が該ノズルから放出される、アクチュエータと、
該アクチュエータと該圧送チャンバとの間に設けられた第一膜と、
該第一膜とは異なるとともに、該ノズルの該入口にわたって、該入口を部分的に遮断するように配置された第二膜であって、それ自身を貫通する少なくとも１つの穴を有し、該液体吐出装置の作動時に流体が該膜の該少なくとも１つの穴を通って流れる、第二膜と、
を含む、液体吐出装置。
【請求項２】
前記第二膜および前記穴が、流体が前記ノズルから吐出されるときに前記第一通路が第一インピーダンスを有し、流体が該ノズルから放出されないときに第二インピーダンスを有するように構成される、請求項１に記載の液体吐出装置。
【請求項３】
前記第一インピーダンスが、前記第二インピーダンスよりも大きい、請求項２に記載の液体吐出装置。
【請求項４】
前記ノズルの共鳴周波数においてまたはその周辺において前記第二通路が最大インピーダンスを有するように前記第二膜が構成される、請求項２に記載の液体吐出装置。
【請求項５】
前記第二膜が、前記外面に対して実質的に平行に延在する、請求項１に記載の液体吐出装置。
【請求項６】
前記第二膜が、それ自身を貫通する複数の穴を有する、請求項１に記載の液体吐出装置。
【請求項７】
前記複数の穴が、前記第二膜にわたって一様に離間されている、請求項６に記載の液体吐出装置。
【請求項８】
前記第一膜が、前記外面に対して平行に延在するとともに、前記液体吐出装置にわたって横設されている、請求項１に記載の液体吐出装置。
【請求項９】
前記膜層が、前記本体と前記ノズル層との間に設けられる、請求項８に記載の液体吐出装置。
【請求項１０】
前記穴が、該穴の全ての側部において、前記ノズルの壁部から離間されている、請求項１に記載の液体吐出装置。
【請求項１１】
前記第二膜が、前記ノズルの壁部に対して実質的に垂直に、内側方向に突出する、請求項１に記載の液体吐出装置。
【請求項１２】
前記第二膜が、前記ノズルの壁部を形成する材料の弾性率よりも低い弾性率を有する材料で形成される、請求項１に記載の液体吐出装置。
【請求項１３】
前記第二膜が、前記ノズルの壁部より柔軟である、請求項１に記載の液体吐出装置。
【請求項１４】
前記第二膜を貫通する前記穴が、前記ノズルの前記出口開口部より狭い、請求項１に記載の液体吐出装置。
【請求項１５】
前記第二膜が酸化物で形成される、請求項１に記載の液体吐出装置。
【請求項１６】
前記第二膜が、約０．５μｍから約５μｍの間の厚さを有する、請求項１５に記載の液体吐出装置。
【請求項１７】
前記第二膜がポリマーで形成される、請求項１に記載の液体吐出装置。
【請求項１８】
前記第二膜が、約１０μｍから約３０μｍの間の厚さを有する、請求項１７に記載の液体吐出装置。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
リグノセルロース系材料の構造体を処理するための処理方法であって、前記リグノセルロース系材料は好ましくは木材であり、以下の工程を含む前記方法：
（１）少なくとも１種の流体によりリグノセルロース系材料の前記構造体をソーキングして、前記材料中に存在するリグニンの少なくとも４０質量％かつ最大で８５質量％を溶解させる少なくとも１つの工程；
（２）部分的脱リグニン化構造体を生じさせるために、ソーキング工程（１）からもたらされた溶解リグニンを排出するように、工程（１）からもたらされた構造体を少なくとも１種の有機流体により洗浄する少なくとも１つの工程；
（３）充填された部分的脱リグニン化構造体を生じさせるために、洗浄工程（２）からもたらされた部分的脱リグニン化構造体に少なくとも１種の充填化合物を充填する少なくとも１つの工程；及び
（４）セルロースとリグニンのネットワークに組み込まれた変換された充填化合物の三次元ネットワークから形成された複合材料構造体を得るために、充填工程（３）からもたらされた充填された部分的脱リグニン化構造体を仕上げる少なくとも１つの工程。
【請求項２】
リグノセルロース系材料の前記構造体がトリミング部材、仕上げ部材又は構造部材である、請求項１に記載の処理方法。
【請求項３】
ソーキング工程（１）の流体が、以下から選択される、請求項１又は２に記載の処理方法：
−  塩化ナトリウムと水酸化ナトリウムの混合物を含む水溶液、もしくは、モノエタノールアミンを含む水性液体、又は、ＫＯＨを含む塩基性溶液；
−  酢酸と過酸化水素の混合物を含む水溶液、あるいは、ＨＢｒ、Ｈ２ＳＯ４又はＨ３ＰＯ４を含む酸性溶液；
−  場合によっては少なくとも１種のイオン性液体の存在下又は少なくとも１種のイオン性液体と少なくとも１種の補助溶媒の存在下で、少なくとも１種の酵素を含む流体；
−  純粋なイオン性液体；
−  溶液中に１又は２種以上の酵素を含むイオン性液体；
−  イオン性液体と混和性の少なくとも１種の溶媒との混合物でイオン性液体；
−  溶液中に１又は２種以上の酵素を含む少なくとも１種の混和性溶媒との混合物でイオン性液体；
−  相の一方が、純粋な又は少なくとも１種の混和性溶媒と混合されたイオン性液体によって構成され、他の相が、超臨界流体によって構成される二相系；
−  相の一方が、純粋な又は少なくとも１種の混和性溶媒との混合物でイオン性液体によって構成され、他の相が超臨界流体によって構成される二相系であって、さらに、イオン性液体を含む相中に１又は２種以上の酵素を溶液で含む二相系；
−  少なくとも１種の酵素を含む、純粋な化合物又は化合物の混合物の任意の溶液；及び
それらの混合物。
【請求項４】
前記ソーキング工程の前に、前処理工程があり、前記前処理工程は、リグノセルロース系材料の構造体を少なくとも１種の有機流体によりプレソーキングする少なくとも１つのサブ工程と、それに続く、プレソーキングのサブ工程からもたらされた溶解した化合物を排出するように、プレソーキングのサブ工程からもたらされた構造体を少なくとも１種の有機流体によりプレ洗浄する少なくとも１つのサブ工程とを含む、請求項１〜３のいずれか一項に記載の処理方法。
【請求項５】
前記洗浄工程（２）の前記有機流体が、エタノール、ヘキサン、イソプロパノール、ヘプタン及びこれらの混合物からなる群から選択される液体である、請求項１〜４のいずれか一項に記載の処理方法。
【請求項６】
前記充填工程（３）の前記充填化合物が、前記充填工程（３）の圧力及び温度の条件下で液体状態であり、前記部分的に脱リグニンされた構造体を液体のポリマー又はポリマー中でソーキングすることによって充填工程（３）を実施する、請求項１〜５のいずれか一項に記載の処理方法。
【請求項７】
前記充填工程（３）の前記充填化合物が、前記充填工程（３）の圧力及び温度の条件下でモノマー溶液中に存在する重合性モノマーであり、前記モノマー溶液はさらに少なくとも１種の触媒を含む、請求項１〜６のいずれか一項に記載の処理方法。
【請求項８】
前記充填工程（３）の前記モノマー溶液が、以下から選択される少なくとも１種のモノマーを含む、請求項７に記載の処理方法：
−  石油から製造されるモノマー、かかるモノマーには、メタクリレート、フタレート；ニトリル；スチレン及びスチレン誘導体；ビニル化合物；エチレン性化合物；ブタジエン；イソプレンがある；及び
−  バイオソースモノマー、かかるモノマーには、テルペン；エピクロロヒドリン、プロパンジオールの異性体及びグリコール酸の異性体のうちの少なくとも１種との反応後に得られるグリセロール及びグリセロール誘導体；糖の誘導体；フルフラール誘導体；乳酸及びギ酸誘導体；ヒマシ油から製造されるモノマー；ヒドロキシアルカン酸；バイオエチレン；バイオエチレングリコール；バイオプロピレン；バイオ−１，４−ブタンジオール；リグニン誘導体；並びにこれらの混合物。
【請求項９】
前記洗浄工程（２）の前記有機流体から回収された溶解リグニンが、建設材料、もしくは航空機に使用される材料、もしくは包装材料、もしくはバイオ燃料、もしくは医薬化合物、又は化合物の製造のために、リグニンを利用するプロセスにおいて使用される、請求項１〜８のいずれか１項に記載の処理方法。
【請求項１０】
前記リグノセルロース系材料が軟材であり、前記構造体中に存在するリグニンの５０〜８５質量％、好ましくは５０〜７５質量％が前記ソーキング工程（１）の間に溶解される、請求項１〜９のいずれか一項に記載の処理方法。
【請求項１１】
前記リグノセルロース系材料が硬材であり、前記構造体中に存在するリグニンの４０〜６０質量％、好ましくは４５〜５５質量％が前記ソーキング工程（１）の間に溶解される、請求項１〜９のいずれか一項に記載の処理方法。
【請求項１２】
リグニン、ヘミセルロース、セルロース及び少なくとも１種の充填化合物を含む複合材料構造体（６２）であって、前記構造体が、請求項１〜１１のいずれか一項に記載の処理方法の実施によって得られ、前記複合材料構造体がセルロース及びリグニンの構造（４４’、４５，４７，４６）に組み込まれた変換された充填化合物の三次元ネットワーク（５９）を形成している、複合材料構造体（６２）。
【請求項１３】
前記構造体が実質的に半透明である、請求項１２に記載の材料構造体。
【請求項１４】
前記構造体がトリミング部材、仕上げ部材又は構造部材である、請求項１２及び１３のいずれか一項に記載の材料構造体。
【請求項１５】
請求項１２〜１４のいずれか一項に記載の少なくとも１つの複合材料構造体（６２）を含む製品であって、前記製品は、家具のアイテム又は家具のアイテムの一部、建築物のコンポーネント、自動車部品又は航空部品である製品。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
第１の樹脂層と第２の樹脂層との間に配置された導電層を含む、落雷保護（ＬＳＰ）および耐溶け落ち性を提供することができる多機能表面材であって、
第１および第２の樹脂層のうちの少なくとも１つが、
（ａ）多官能性エポキシ樹脂のブレンドと、
（ｂ）硬化剤と、
（ｃ）ポリマー強靭化成分と、
（ｄ）セラミック微小球と、
（ｅ）有機リン含有化合物；無機リン含有化合物；メラミンシアヌレート；ポリホスファゼン；リン変性エポキシまたはフェノール樹脂；ホウ素含有化合物、およびそれらの組合せから選択される１つまたは複数の化合物を含む難燃成分とを含み、
第１および第２の樹脂層が一切の強化繊維を含有しない、多機能表面材。
【請求項２】
有機リン含有化合物が、トリメチルホスフェート、トリエチルホスフェート、トリブチルホスフェート、トリオクチルホスフェート、トリブトキシエチルホスフェート、トリクレシルホスフェート、クレシルジフェニルホスフェート、オクチルジフェニルホスフェート、ポリホスホネート、ポリホスフェート、およびそれらの組合せから選択され；無機リン含有化合物が、赤リン、メラミンホスフェート、メラミンポリホスフェート、アンモニウムポリホスフェート、ジメラミンホスフェート、ピロホスフェート、およびホスフィン酸アルミニウムを含む無機ホスフィネートから選択され；ホウ素含有化合物が、ホウ酸亜鉛、メタホウ酸バリウム、およびメタホウ酸カルシウムから選択され；かつリン変性エポキシ樹脂が、多官能性エポキシ樹脂を有機ホスフィン酸またはその無水物と反応させることによって得られた反応生成物である、請求項１に記載の多機能表面材。
【請求項３】
金属水酸化物、好ましくはアルミナ三水和物（ＡＴＨ）から選択される煙抑制剤をさらに含む、請求項１又は２に記載の多機能表面材。
【請求項４】
粒状形態の無機充填剤をさらに含む、請求項１に記載の多機能表面材。
【請求項５】
無機充填剤がシリカである、請求項４に記載の多機能表面材。
【請求項６】
ポリマー強靭化成分（ｃ）が、
（ｉ）エラストマーまたは熱可塑性ポリマー、
（ｉｉ）エポキシ樹脂、ビスフェノール、およびエラストマーの反応によって形成される予備反応付加物、
（ｉｉｉ）ポリエーテルスルホン（ＰＥＳ）とポリエーテルエーテルスルホン（ＰＥＥＳ）とのコポリマー、
（ｉｖ）コア−シェルゴム（ＣＳＲ）粒子、
およびそれらの組合せから選択される強靭化材料を含む、請求項１に記載の多機能表面材。
【請求項７】
多官能性エポキシ樹脂のブレンドが二官能エポキシ樹脂および三官能または四官能エポキシ樹脂を含む、請求項１に記載の多機能表面材。
【請求項８】
第１および第２の樹脂層が組成において異なっている、請求項１に記載の多機能表面材。
【請求項９】
導電層が多孔質または非孔質金属層である、請求項１に記載の多機能表面材。
【請求項１０】
導電層が、銅、アルミニウム、青銅、チタン、またはそれらの合金の多孔質または非孔質金属層である、請求項１に記載の多機能表面材。
【請求項１１】
導電層が、９００℃超の融点を有する多孔質または非孔質金属層である、請求項１〜１０のいずれか一項に記載の多機能表面材。
【請求項１２】
導電層が、約７６μｍ未満の厚さを有する非孔質層である、請求項１に記載の多機能表面材。
【請求項１３】
導電層が非孔質金属箔である、請求１２に記載の多機能表面材。
【請求項１４】
導電層が、約６０ｇｓｍ〜約３５０ｇｓｍの範囲内の面積重量を有する多孔質層である、請求項１に記載の多機能表面材。
【請求項１５】
導電層が金属スクリーンまたはエキスパンデッド金属箔である、請求項１４に記載の多機能表面材。
【請求項１６】
約３．１７ｍｍ〜約３０５ｍｍの範囲の幅を有する、連続したまたは細長いテープの形態である、請求項１〜１５のいずれか一項に記載の多機能表面材。
【請求項１７】
硬化性マトリックス樹脂を含浸または注入された強化繊維を含む複合基材と、
複合基材の表面に積層された請求項１に記載の多機能導電性表面材と
を含む複合構造物。
【請求項１８】
複合基材が、積み重ね配列で配列された複数のプリプレグプライを含むプリプレグレイアップであり、各々のプリプレグプライが、硬化性マトリックス樹脂で含浸されるかまたはその中に埋め込まれる強化用繊維を含む、請求項１７に記載の複合構造物。
【請求項１９】
硬化性マトリックス樹脂で含浸されるかまたはその中に埋め込まれる強化繊維を含む、複合基材の表面に請求項１に記載の多機能表面材を適用する工程と、
表面材を複合基材と一緒に共硬化する工程と
を含む、複合構造物を形成するための方法。
【請求項２０】
硬化性マトリックス樹脂で含浸されるかまたはその中に埋め込まれる強化繊維を含む、複合基材を形成する工程と、
連続したまたは細長いテープの形態の請求項１６に記載の複数の表面材を、自動配置法によって並列に複合基材上に直接に分配して、保護表面層を複合基材上に形成する工程と、
保護表面層を複合基材と一緒に共硬化する工程と
を含む、複合構造物を形成するための方法。
【請求項２１】
複合基材が、積み重ね配列で配列された複数のプリプレグプライを含むプリプレグレイアップであり、各々のプリプレグプライが、硬化性マトリックス樹脂で含浸されるかまたはその中に埋め込まれる強化用繊維を含む、請求項２０に記載の方法。
【誤訳訂正書】
【提出日】令和2年3月10日(2020.3.10)
【誤訳訂正１】
【訂正対象書類名】明細書
【訂正対象項目名】０００４
【訂正方法】変更
【訂正の内容】
【０００４】
一般的に、ナノ粒子のバッチ式合成は、緩慢な混合及び加熱の欠点、ならびにバッチ間再現性の問題を被る。これらの問題は、規模が大きくなると更に増大する。また、米国特許第７，８３３，５０６号、ＵＳ２００２／０１４４６４４、ＵＳ２０１４／００２６７１４、及びＵＳ２０１４／０３２６９２１を参照されたい。
【誤訳訂正２】
【訂正対象書類名】明細書
【訂正対象項目名】００３４
【訂正方法】変更
【訂正の内容】
【００３４】
【図１】本発明の好ましい反応システムを概略的に示す。
【図２Ａ】本発明の好ましい加熱及び冷却ユニット及びシステムを示す。
【図２Ｂ】本発明の好ましい加熱及び冷却ユニット及びシステムを示す。
【図２Ｃ】本発明の好ましい加熱及び冷却ユニット及びシステムを示す。
【図２Ｄ】本発明の好ましい加熱及び冷却ユニット及びシステムを示す。
【図２Ｅ】本発明の好ましい加熱及び冷却ユニット及びシステムを示す。
【図２Ｆ】本発明の好ましい加熱及び冷却ユニット及びシステムを示す。
【図２Ｇ】本発明の好ましい加熱及び冷却ユニット及びシステムを示す。
【図２Ｈ】本発明の好ましい加熱及び冷却ユニット及びシステムを示す。
【図３Ａ】例示的な反応流路を示す。
【図３Ｂ】本発明の更に好ましい反応システムを示す。
【図４Ａ】２３０℃で、３分連続フロー反応器で合成した異方性ＣｄＳｅ粒子のＴＥＭ画像を示す。
【図４Ｂ】生成物のＣｄＳｅウルツ構造を示す（００２）面に対応する格子定数３．４Ａ°を示すＨＲＴＥＭ画像を示す。
【図４Ｃ】０．５分、３分、及び５分の異なる滞留時間で合成されたＣｄＳｅ粒子の吸収スペクトルを示す。
【図４Ｄ】０．５分、３分、及び５分の異なる滞留時間で合成されたＣｄＳｅ粒子の発光スペクトル（規格化吸収スペクトル）を示す。
【図４Ｅ】ＣｄＳｅ粒子は、ＺｎＳのシェルで更にコートされた。図４Ａに示されたサンプルの関連する幅分布は、平均幅２．５±０．５ｎｍを有する粒子の相当に均質なサイズを示す。８７個の粒子を分析し、サイズ分布を得た。
【図４Ｆ】ＣｄＳｅ粒子は、ＺｎＳのシェルで更にコートされた。（Ａ）に示されたサンプルの関連する長さ分布は、平均長１７±３．２ｎｍを有する粒子の相当に均質なサイズを示す。８７個の粒子を分析し、サイズ分布を得た。
【図４Ｇ】合成ＣｄＳｅ粒子の粉末ＸＲＤパターンは、六角形のウルツ構造を示す。２５の広帯域は、トリオクチルアミン／トリオクチルホスフィンリガンドによる。ＣｄＳｅの六角形ウルツ鉱の標準的なパターンを参照のため提示する。
【図５Ａ】温度スイープを実施して、生成物の量子収量（ＱＹ）及び発光波長（λ）のプロセスパラメータの効果を分析したことを示す。特に記述されない限り、合成条件は、スイープを行ったパラメータを除き、基本的な場合（次の実施例に記述される）と同じに保たれた。
【図５Ｂ】時間スイープを実施して、生成物の量子収量（ＱＹ）及び発光波長（λ）のプロセスパラメータの効果を分析したことを示す。特に記述されない限り、合成条件は、スイープを行ったパラメータを除き、基本的な場合（次の実施例に記述される）と同じに保たれた。
【図５Ｃ】濃度スイープを実施して、生成物の量子収量（ＱＹ）及び発光波長（λ）のプロセスパラメータの効果を分析したことを示す。特に記述されない限り、合成条件は、スイープを行ったパラメータを除き、基本的な場合（次の実施例に記述される）と同じに保たれた。
【図６】ＺｎＳｅナノロッドの熟成段階を試験する、異なる組の条件の概略である。４つの４分円は、熟成段階に使用された滞留時間及び温度の異なる組み合わせを表す。高温での長い滞留時間は、生成物を分解するように見受けられた。同様に、短い滞留時間での高温、またはより低い温度での長い滞留時間の使用により、過熟成生成物が製造された。更に、短い滞留時間と組み合わせられた低温により、未熟なナノロッドが製造された。温度及び滞留時間の最適な組み合わせにより、単分散のＺｎＳｅナノロッドを得た。
【図７Ａ】未精製ナノワイヤ生成物の熟成から得たＺｎＳｅナノワイヤ／ナノロッド混合物のＴＥＭ画像。
【図７Ｂ】ＺｎＳｅナノロッドのＴＥＭ画像。
【図７Ｃ】別個の格子縞を有するＺｎＳｅナノロッドのＨＲＴＥＭ画像を示す。ナノワイヤを、滞留時間６０分、１６０℃の連続フロー反応器で合成した。
【図７Ｄ】ナノワイヤ生成物を精製し、オレイルアミンに再溶解し、滞留時間３分、２６０℃で反応器に貫流し、図７Ｂに示されるナノロッドを得た。合成された、ＺｎＳｅナノワイヤ（１６０℃、６０分）、及びナノロッド（２６０℃、３分）の吸収スペクトルを示す。ＺｎＳｅナノワイヤは、マジックサイズＺｎＳｅナノワイヤの存在を示す、３２７ｎｍ及び３４５ｎｍの２つのピークを示す。
【図７Ｅ】図７Ｂのサンプルの関連する幅分布を示す。ナノロッドは、２．３±０．２ｎｍの平均幅を有する。１１４個の粒子を分析して、サイズ分布を得た。
【図７Ｆ】図７Ｂのサンプルの関連する長さ分布を示す。ナノロッドは、１３．４±１．８ｎｍの平均長を有する。１１４個の粒子を分析して、サイズ分布を得た。
【図８Ａ】次の実施例４の結果を示す。
【図８Ｂ】次の実施例４の結果を示す。
【図９】次の実施例５の結果を示す。
【図１０Ａ】次の実施例６の結果を示す。
【図１０Ｂ】次の実施例６の結果を示す。
【図１０Ｃ】次の実施例６の結果を示す。
【図１１】次の実施例６の結果を示す。
【誤訳訂正３】
【訂正対象書類名】明細書
【訂正対象項目名】００７８
【訂正方法】変更
【訂正の内容】
【００７８】
ナノ構造材料の合成
本実施例では、反応器システムは、一般的に、上述の実施例２に記載のシステムに相当する。酸化カドミウム（９９．５％）、セレン（９９．９９％）、オレイン酸（９０％）、オレイルアミン（７０％）、トリスオクチルホスフィン（ＴＯＰ）（９０％）、トリオクチルアミン（９８％）、ステアリン酸亜鉛（工業的等級）、及びジエチルジチオカルバミン酸亜鉛（ＺｎＤＤＴＣ２）（９７％）をＳｉｇｍａ−Ａｌｄｒｉｃｈ社より購入し、受領したままの状態で使用した。特に記述されない限り、ＣｄＳｅナノロッド合成は、２．０ｍＬのオレイン酸に２００℃で溶解して透明溶液を形成する０．１０２８ｇＣｄＯ（０．８ｍｍｏｌ）を使用した。ＣｄＳｅナノロッドの合成には、音波処理を介する溶解前にグローブボックス内でＴＯＰ１５ｍＬとＳｅ１．１８４４ｇを混合することにより、ＴＯＰ−Ｓｅ溶液を作製した。標準的な合成には、Ｃｄオレイン酸溶液（０．４Ｍ  Ｃｄ）、及び０．８ｍＬのアニオン性溶液（１Ｍ  Ｓｅ）をＴＯＡ４０ｍＬと混合し、チューブ反応器を介して送り出し、これを２分半の標準的な滞留時間で（反応器容積／容積流速）２２０℃（基本的な場合の条件）に維持した。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
対向する対の側壁及び端壁を具備するガラス炉熱交換器であって、ここにおいて前記熱交換器の前記側壁及び前記端壁の少なくとも１つは、各々が約２５．５９インチ（６５０ｍｍ）以上の寸法を有し、約５０ポンド（２２．６８キログラム）を越える重量のインターロック式の複数の耐火ブロックを具備し、ここにおいて前記耐火ブロックは、耐火材料から成る自己支持型であり且つ耐荷重一体型のプレキャスト構造体であり、前記耐火ブロックは、約５×１０−１５から約５×１０-１４の間の通気性を有し、
前記耐火ブロックは、前記熱交換器の内側及び外側に隣接する、長手方向に隣接する内側及び外側ブロック領域を備え、前記内側及び外側ブロック領域は、内側ブロック領域から外側ブロック領域へ断熱性の勾配を確立するように、少なくとも約１０％だけ異なる熱伝導率をぞれぞれ有する異種のプレキャスト耐火材料で形成される、ガラス炉熱交換器。
【請求項２】
前記耐火ブロックの少なくともいくつかの隣接する前記一体領域を確立する前記プレキャスト耐火材料は、少なくとも約５０℃の溶融温度差を有する、請求項１に記載のガラス炉熱交換器。
【請求項３】
前記耐火ブロックは、インターロック式の舌部及び溝部を具備する、請求項１に記載のガラス炉熱交換器。
【請求項４】
前記側壁の外側部分に対して直立するバックステーをさらに具備する、請求項１に記載のガラス炉熱交換器。
【請求項５】
前記耐火ブロックのうち垂直に隣接する前記耐火ブロックの間に配置される複数のタイバックバーをさらに具備する、請求項４に記載のガラス炉熱交換器。
【請求項６】
前記耐火ブロックの少なくともいくつかは、中に前記タイバックバーをそれぞれ１つずつ収容するための緯度方向に配向された凹状のチャネルを具備する、請求項５に記載のガラス炉熱交換器。
【請求項７】
前記チャネルは、孔を画定し、前記タイバックバーは、前記孔に収容される従属ピンを具備する、請求項６に記載のガラス炉熱交換器。
【請求項８】
前記耐火ブロックは、上面に間隙を画定する断続的な舌部を含み、前記タイバックバーは、前記舌部と一直線になるように前記間隙に配置される隆起した横断面プロファイルを有する突出部をさらに具備する、請求項５に記載のガラス炉熱交換器。
【請求項９】
前記隆起した横断面プロファイルは、前記タイバックバーのほぼ三角形の折返し湾曲基端部によって形成される、請求項８に記載のガラス炉熱交換器。
【請求項１０】
前記耐火ブロックは、その上面に間隙によって中断された舌部を含み、タイバックバーは、
（i）前記耐火ブロックの前記上面の前記舌部に平行かつ隣接して各々配置可能な内側及び外側のタイバックプレートと、
（ii）前記舌部の前記間隙に強固に配置され、前記内側及び外側のタイバックプレートを互いに強固に接続する少なくとも１つのブリッジプレートと、
を含むアセンブリを具備する、請求項５に記載のガラス炉熱交換器。
【請求項１１】
前記側壁の外側部分に対して配置される内側フランジを各々有する複数の隣接するほぼ垂直方向に配向されたバックステーと、
前記隣接するバックステーのそれぞれの間にほぼ水平方向に延びる複数のロッドと、ここにおいて、前記ロッドは、それの終端部が使用中に前記壁の熱膨張に応答して前記バックステーの隣接する１つに関して移動することを可能にするように、前記バックステーの前記内側フランジに摺動可能に係合する対向する終端部を有する、
前記耐火ブロックの垂直に隣接する前記耐火ブロックの間に配置される複数のタイバックバーと、ここにおいて、前記タイバックバーは、前記ロッドのそれぞれ１つに強固に接続される末端部を有する、
をさらに備える、請求項１に記載のガラス炉熱交換器。
【請求項１２】
前記耐火ブロックは、インターロック式の舌部及び溝部を具備する、請求項１１に記載のガラス炉熱交換器。
【請求項１３】
所定のブロックは、中に前記タイバックバーをそれぞれ１つずつ収容するための間隙を画定する少なくとも１つの断続的な舌部を含む、請求項１２に記載のガラス炉熱交換器。
【請求項１４】
前記耐火ブロックの少なくともいくつかは、中に前記タイバックバーをそれぞれ１つずつ収容するための前記舌部における前記間隙を画定する緯度方向に配向された凹状のチャネルを具備する、請求項１３に記載のガラス炉熱交換器。
【請求項１５】
前記チャネルは、孔を画定し、前記タイバックバーは、前記孔に収容される従属ピンを具備する、請求項１３に記載のガラス炉熱交換器。
【請求項１６】
前記タイバックバーは、前記舌部と一直線になるように前記間隙に配置される隆起した横断面プロファイルを有する突出部をさらに具備する、請求項１３に記載のガラス炉熱交換器。
【請求項１７】
前記隆起した横断面プロファイルが、前記タイバックバーのほぼ三角形の折返し湾曲基端部によって形成される、請求項１６に記載のガラス炉熱交換器。
【請求項１８】
前記タイバックバーは、
（i）前記ブロックの上面に前記舌部に対して平行且つ隣接して各々配置される内側及び外側のタイバックプレートと、
（ii）前記舌部の前記間隙に強固に配置され、前記内側及び外側のタイバックプレートを互いに強固に接続する少なくとも１つのブリッジプレートと、
を含むアセンブリを具備する、請求項１３に記載のガラス炉熱交換器。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
触媒金属複合体コーティングを有する基材を含む電気化学的酸素発生反応（ＯＥＲ）触媒の触媒活性を向上させる方法であって、
（ｉ）約５０℃未満の温度の溶液中で前記金属複合体コーティングを還元剤に曝すことで、前記金属複合体コーティング中の酸素空孔密度を増加させることを含む、方法。
【請求項２】
前記金属複合体コーティングが、二元金属複合体を含む、請求項１に記載の方法。
【請求項３】
前記二元金属複合体が、二元金属酸化物複合体、二元金属水酸化物複合体、またはこれらの混合物である、請求項２に記載の方法。
【請求項４】
前記二元金属複合体が、ニッケル−鉄複合体、ニッケル−コバルト複合体、マンガン−鉄複合体、マンガン−コバルト複合体、またはマンガン−亜鉛複合体からなる群から選択される、請求項２または３に記載の方法。
【請求項５】
前記二元金属複合体が、ニッケル−鉄複合体である、請求項４に記載の方法。
【請求項６】
前記ニッケル−鉄複合体が、ニッケル−鉄酸化物、ニッケル−鉄水酸化物、またはこれらの混合物を含む、請求項５に記載の方法。
【請求項７】
前記ニッケル−鉄複合体が、Ｎｉ２ｘＦｅ３ｙ（ＯＨ）２ｘ＋３ｙの式を有し、式中、ｘが、約０．１〜約２の数であり、ｙが、約０．１〜約２の数である、請求項５に記載の方法。
【請求項８】
前記金属複合体コーティングが、多孔質である、請求項１〜７のいずれか一項に記載の方法。
【請求項９】
前記金属複合体コーティングが、非晶質である、請求項１〜８のいずれか一項に記載の方法。
【請求項１０】
前記非晶質の金属複合体コーティングが、ナノシート、ナノフレーク、またはこれらの組み合わせを含む、請求項９に記載の方法。
【請求項１１】
前記金属複合体コーティングが、結晶質である、請求項１〜８のいずれか一項に記載の方法。
【請求項１２】
前記還元剤が、水素化ホウ素ナトリウム（ＮａＢＨ４）、ヒドラジン、および水素ガスからなる群から選択される、請求項１〜１１のいずれか一項に記載の方法。
【請求項１３】
前記還元剤が、ＮａＢＨ４である、請求項１２に記載の方法。
【請求項１４】
前記基材が、導電性基材である、請求項１〜１３のいずれか一項に記載の方法。
【請求項１５】
前記導電性基材が、多孔質である、請求項１４に記載の方法。
【請求項１６】
前記多孔質導電性基材が、ニッケル発泡体である、請求項１５に記載の方法。
【請求項１７】
ニッケル−鉄複合体コーティングを有する基材を含む電気化学的ＯＥＲ電極であって、前記ニッケル−鉄複合体コーティングが、約５０℃未満の温度の溶液中で還元剤に曝されることにより前記ニッケル−鉄複合体コーティング中の酸素空孔密度が増加している、ＯＥＲ電極。
【請求項１８】
前記還元剤が、水素化ホウ素ナトリウム（ＮａＢＨ４）、ヒドラジン、および水素ガスからなる群から選択される、請求項１７に記載のＯＥＲ電極。
【請求項１９】
前記還元剤が、ＮａＢＨ４である、請求項１８に記載のＯＥＲ電極。
【請求項２０】
前記基材が、導電性基材である、請求項１７〜１９のいずれか一項に記載のＯＥＲ電極。
【請求項２１】
前記導電性基材が、多孔質である、請求項２０に記載のＯＥＲ電極。
【請求項２２】
前記多孔質導電性基材が、ニッケル発泡体である、請求項２１に記載のＯＥＲ電極。
【請求項２３】
触媒ニッケル−鉄複合体コーティングを有する基材を含む電気化学的ＯＥＲ電極の触媒活性を向上させる方法であって、
（ｉ）前記ニッケル−鉄複合体コーティングを約５０℃未満の温度の溶液中でＮａＢＨ４に曝すことで、前記金属複合体コーティング中の酸素空孔密度を増加させることを含む、方法。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
エアフィルタカートリッジにおいて、
（ａ）濾材パック外周を有し、相対する入口および出口流端を有する濾材を含む濾材パックと、
（ｂ）半径方向のシールを形成するために前記濾材パック外周を取り囲むシール装置であって、半径方向に向かう第一のシールセグメントと、前記第一のシールセグメントから前記入口および出口流端のうちの一方に向かって延びる、隣接し、半径方向に向かう少なくとも１つの偏向シールセグメントを含むシール装置と、
を含むエアフィルタカートリッジ。
【請求項２】
前記半径方向のシールは、交互に配置された、複数の半径方向に向かう第一のシールセグメントと偏向シールセグメントを画定する、
請求項１に記載のエアフィルタカートリッジ。
【請求項３】
前記偏向シールセグメントは、前記半径方向に向かう第一のシールセグメントに対して斜めの角度に配置された移行セグメントを含む、請求項１または２に記載のエアフィルタカートリッジ。
【請求項４】
前記シール装置は外側に向かうシール装置である、請求項１〜３の何れか１項に記載のエアフィルタカートリッジ。
【請求項５】
前記シール装置はポリウレタン材料、又は熱可塑性エラストマ材料から形成される、請求項１〜４の何れか１項に記載のエアフィルタカートリッジ。
【請求項６】
前記シール装置は前記濾材パックの上に射出成型される、請求項１〜５の何れか１項に記載のエアフィルタカートリッジ。
【請求項７】
前記シール装置は少なくとも１つのリップシールを含む、請求項１〜６の何れか１項に記載のエアフィルタカートリッジ。
【請求項８】
前記シール装置は、離間され、平行の関係に配置された３つのリップシールを含む、請求項１〜７の何れか１項に記載のエアフィルタカートリッジ。
【請求項９】
各リップシールは、前記濾材パックの前記外周に対して斜めの角度で配置される、請求項７又は８に記載のエアフィルタカートリッジ。
【請求項１０】
前記シール装置は、３つの偏向シールセグメントにより分離された３つの半径方向に向かう第一のシールセグメントを含み、前記シール装置が３次の回転対称である、請求項１〜９の何れか１項に記載のエアフィルタカートリッジ。
【請求項１１】
前記濾材は、前記入口流面と前記出口流面との間に延びる複数のフルートを含み、前記濾材は、前記入口面と前記出口面との間で、その中の濾過されていない空気の通過に対して閉鎖される、請求項１〜１０の何れか１項に記載のエアフィルタカートリッジ。
【請求項１２】
（ａ）前記濾材パック外周から延びる突起受容部装置の第一の部材であって、前記シール装置の少なくとも一部と円周方向に整列する第一の部材、
をさらに含む、請求項１〜１１の何れか１項に記載のエアフィルタカートリッジ。
【請求項１３】
前記突起受容部装置の前記第一の部材は、前記シール装置と前記濾材パックの第一の端との間に配置される、請求項１２に記載のエアフィルタカートリッジ。
【請求項１４】
（ａ）前記濾材周囲に延びる保護カバーと、
（ｂ）前記保護カバーと一体に形成された突起受容部装置の第一の部材と、をさらに含み、
前記第一の部材は前記シール装置と前記濾材パックの第一の端との間に配置される、請求項１〜１３の何れか１項に記載のエアフィルタカートリッジ。
【請求項１５】
空気清浄装置アセンブリにおいて、
（ａ）半径方向の空洞を有する内部を画定し、突起受容部装置の第一の部材を有する開閉可能な清浄装置筐体と、
（ｂ）前記筐体内部空洞内に取り外し可能に設置された、請求項１〜１４の何れか１項に記載のエアフィルタカートリッジと、
を含む空気清浄装置アセンブリ。